(57)【要約】【課題】従来の畳を用いる限り、また従来の敷き込み方法を採用する限り、どうしても内装や室内雰囲気は従来の和室になってしまう。よって、種々の効果を有する畳を使用し、且つ洋間の雰囲気を出すような、また和室でも新しい感じを出すような畳の敷き込み方法を提供する。【解決手段】正方形の間の中心位置に１辺が１．５ｍ以上の正方形の中心畳を置き、その周囲に部屋の１辺の長さから該正方形の畳の１辺の長さを減じて２で除した長さを１辺の長さに持つ周囲畳を敷き詰めるもの。【選択図】　図１
2004011325.tif 000002
【特許請求の範囲】
【請求項１】
正方形の間の中心位置に１辺が１．５ｍ以上の正方形の中心畳を置き、その周囲に部屋の１辺の長さから該正方形の畳の１辺の長さを減じて２で除した長さを１辺の長さに持つ周囲畳を敷き詰めることを特徴とする畳の敷き込み方法。
【請求項２】
該正方形の間が八帖間であり、該中心畳が二帖サイズの正方形畳であり、該周囲畳が通常の畳及び半帖畳である請求項１記載の畳の敷き込み方法。
【請求項３】
四隅は正方形畳を敷くものである請求項１又は２記載の畳の敷き込み方法。
【発明の詳細な説明】
【０００１】
【発明の属する技術分野】
本発明は、畳の敷き込み方法に関するものである。
【０００２】
【従来の技術】
畳は、従来からその形状は四角形であり、中でも正方形の半帖畳と、縦横の比率が１対２のものしか存在しない。勿論、厳密には畳はできた部屋に合わせて製造するため、長方形や正方形でなく、多かれ少なかれ歪んでいるものである。
しかし、大まかに言って正方形と長方形であることは間違いない。
【０００３】
この２種の形状の畳を部屋に敷き詰めるのであるが、部屋のサイズや形状は日本での通常の家屋やマンションであれば、通常は４帖半、６帖、８帖等のように畳の敷き詰め可能なサイズ、形状になっている。
ここに畳を敷き詰めるのであるが、その方法（位置）は自ずと決まってくるものである。
【０００４】
図４は、従来の８帖間の畳の敷き方である。ほとんどこの方式と言っても過言ではない。
【０００５】
【発明が解決しようとする課題】
しかしながら、このような畳、及び敷き込み方では、どうしても内装や室内雰囲気は従来の和室になってしまう。
畳の効用、更にはその座り心地等は優れており敷きたいが、雰囲気は洋間にしたい、和室でも新しい感じがほしい等の考えを持つ人には採用されなくなりつつある。
【０００６】
【課題を解決するための手段】
以上のような状況に鑑み、本発明者は鋭意研究の結果本発明畳の敷き込み方法を完成させたものであり、その特徴とするところは、正方形の間の中心位置に１辺が１．５ｍ以上の正方形の中心畳を置き、その周囲に部屋の１辺の長さから該正方形の畳の１辺の長さを減じて２で除した長さを１辺の長さに持つ周囲畳を敷き詰める点にある。
【０００７】
本発明でいう正方形の間とは、４帖半、８帖等の従来の正方形タイプの部屋だけでなく、縦横が等しい（数学的な意味ではなく大よそ等しければよい）部屋であれば、従来の規格になくてもよい。なぜならば、本発明で使用する畳は規格にない（あってもよい）ものであり、それぞれに製造するためである。
勿論、規格とおりであって、畳も大量生産型にしてもよい。
【０００８】
この正方形の間の中心位置に１辺が１．５ｍ以上の正方形の中心畳を置く。即ち、部屋の中心と中心畳の中心が一致するということである。また、中心畳の辺は部屋の辺と平行にする。
この中心畳は、従来にない大きな畳である。なぜならば、天然イグサでは通常はできない長さであるためである。しかし、両端に届かないイグサを分からないように１本に見せて織ることができるため、理論的には可能であったが、伝統や慣習によってそのような大きな畳は製造されなかった。
本発明でこの中心の大畳は、これによって伝統的な和室感覚が打破でき、非常に新しい感じが生まれるのである。ただ中心畳を大きくするというだけでこのように大きな感覚の相違を得られることを見出した点が本発明のスタートである。これは、何百年もの長きにわたって同じサイズの畳を見てきているため、ただサイズを変える、それも大きくするだけで衝撃的なのである。
【０００９】
畳表は、天然イグサでも模造イグサでもよい。模造イグサとは、原料は紙、プラスチック等であり、形状（断面）的には発泡タイプ、フィルム収束タイプ、筒状等があるがどれでもよい。
従来の和室感を換えようとするものであるため、種々の色に着色したものを用いてもよい。
縁を設けても設けなくともよい。
この場合、イグサの長手方向が１ｍ以上となると、通常天然イグサでは両端に届くものはできないが、前記した通り、両端に届かないイグサを織る方法で、１辺が２ｍ近くまでは天然イグサで可能である。
【００１０】
これに比べて模造イグサの場合には、長さは制限がなく３ｍでも４ｍでも製造可能である。畳床は、従来の藁性でもプラスチックや木質ボード製等なんでもよく、また厚みも自由である。
【００１１】
この中心畳の周囲に、周囲畳を敷き詰めるのであるが、周囲に同じ幅の畳を敷き込むのであるが、幅が同じであれば、長さは異なっていてもよい。即ち、複数種（通常、２種）の畳で周囲を囲むのである。勿論、１種類の畳で行なってもよい。１種類の場合は、通常正方形である。
【００１２】
この同じである幅は、部屋の１辺の長さから該正方形の畳の１辺の長さを減じて２で除した長さである。このようにしないと周囲に１帖の畳で充填することができない。
よって、中心畳も部屋もまったく規格外の正方形の部屋を作ったとしても、上記の計算で周囲畳のサイズを決めればよい。
【００１３】
また、このような規格外サイズではなく、通常の八帖間に本発明を適用することもできる。この場合でも中心畳のサイズは自由であるが、それも２帖タイプ正方形大畳を使用すれば、非常に均整のとれた美しい模様のようなレイアウトになる。この場合、周囲畳の幅は通常の半帖畳と同じである。
【００１４】
畳床は、従来の藁性でもプラスチックや木質ボード製等なんでもよく、また厚みも自由である。
【００１５】
【発明の実施の形態】
以下図面に示す実施の形態に基づいて、本発明をより詳細に説明する。
図１は、本発明畳の敷き込み方法の１例のよって畳を敷き込んだ例を示す部屋の平面図である。この部屋は、規格寸法ではなく、縦横が３．２ｍである。図で示すと、Ｌが３．２ｍである。ここに中心畳として１辺１．６ｍの正方形の畳１を入れている。即ち、ａが１．６ｍである。
次に、部屋の１辺の長さから該正方形の畳の１辺の長さを減じて２で除した長さを計算する。（３．２−１．６）÷２＝０．８ｍとなる。即ち、ｂは０．８ｍとなる。この例では、周囲畳２は、すべて同じ形状で、１辺０．８ｍの正方形である。
【００１６】
図２は、規格サイズである八帖間（１帖が０．９×１．８ｍ）である。よって、中心畳は２帖サイズとなる。周囲畳は、２種類で半帖畳と１帖畳である。この半帖畳を４隅に配置して、１帖畳をその間に配置している。
この配置も非常にユニークでおもしろい。
【００１７】
【発明の効果】
本発明畳の敷き込み方法には次のような大きな利点がある。
（１）　部屋の中心に従来にない大きな畳が配置されており、非常にユニークな感じを与える。よって、そのまま洋間にもなる。
（２）　また、模造イグサは、着色が自由であるため、天然畳以外の色にすれば、大きな畳と合わせて今までにない部屋ができる。
【図面の簡単な説明】
【図１】本発明敷き込み方法の１例によって敷き込んだ畳の状態の平面図である。
【図２】本発明敷き込み方法の他の例によって敷き込んだ畳の状態の平面図である。
【符号の説明】
１　中心畳
２　周囲畳
【図１】
2004011325.tif 000003
【図２】
2004011325.tif 000004